(57)【要約】【課題】複数のアプリケーションのうち所望のアプリケーションを選択して、所定の処理をする際に、操作がわずらわしい。【解決手段】本発明は、待ち受け状態で通常の電話操作と同じようにテンキーを使って入力することで、所望のアプリケーションを選択するようにできる携帯端末装置を提供できる。また、使用者が入力した文字列によって、アプリケーションの候補の並びが修正されるため、より使いやすい携帯端末装置を提供できる。【選択図】図７
2014096829.tif 000002
【特許請求の範囲】
【請求項１】
複数のアプリケーションを記憶し、文字入力を行うための入力部を備える携帯端末装置であって、
前記入力部から入力される入力文字列を表示する表示部と、
文字とアプリケーションの候補一覧の表示順序との関係を予め保持する条件保持部と、
入力された前記入力文字の文字列に基づいて、前記条件保持部に保持された条件によって、前記アプリケーションの候補一覧が表示される順の並び替えを行い、アプリケーションの候補一覧を表示する一覧表示部と、
前記一覧表示手段により表示される前記アプリケーションの候補一覧からいずれか１つのアプリケーションを選択する選択手段と、
前記選択手段により選択されたアプリケーションを起動させるとともに、該アプリケーションに前記入力文字列に関する処理を実行させる起動手段とを含む、
ことを特徴とする携帯端末装置。
【請求項２】
前記一覧表示部は、前記文字に関して使用される可能性の低いアプリケーションを下位に並び替えることを特徴とする請求項１に記載の携帯端末装置。
【請求項３】
表示される順の並び替えを行ったアプリケーションの候補一覧は、使用者の操作によって、別の順序に並び替えることが可能であることを特徴とする請求項１に記載の携帯端末装置。
【請求項４】
区切り文字で区切って複数の文字列が入力された場合、前記一覧表示部は、複数の文字列に関して前記条件保持部に保持された条件によって、表示される順の並び替えを行い、前記アプリケーションの候補一覧を表示することを特徴とする請求項１に記載の携帯端末装置。
【請求項５】
前記条件保持部は、入力された文字の長さによる条件を含むことを特徴とする請求項１に記載の携帯端末装置。
【請求項６】
前記条件保持部は、文章区切り記号による条件およびメール特有文字による条件の少なくとも一方を含み、前記一覧表示部は、当該条件の少なくとも一方が満たされる場合に、メール機能のアプリケーションを上位に並び替えることを特徴とする請求項１に記載の携帯端末装置。
【発明の詳細な説明】
【技術分野】
【０００１】
本発明は、携帯端末装置に関し、特に、複数のアプリケーションを記憶し、文字入力を行うための文字入力手段を備える携帯端末装置に関する。
【背景技術】
【０００２】
近年、携帯電話機やＰＨＳ（Personal Handy-phone System）等の携帯通信端末は、本
来の機能である音声通話だけでなく、アドレス帳、メール、ブラウザあるいはゲーム等の機能を有するアプリケーションを数多く搭載するようになり、パーソナルコンピュータのように端末一台で複数の役割をこなすことができるようになっている。
【０００３】
通常、これらの各アプリケーションは、カテゴリ毎に階層化等されたアプリケーション選択用のメニューからジョグキー（ボタン）及び決定キー等を用いて項目を選択することにより起動される。
【０００４】
端末によっては、アプリケーションの選択メニューには、使用者により自由にカスタマイズ可能となっているものもある。
【０００５】
また、使用頻度の高いアドレス帳やメール等のアプリケーションについて起動専用のキーを設けているものや、テンキー等を長押しすることで所望のアプリケーションを起動させるためのいわゆるショートカットキーを設定できるものもある。
【０００６】
なお、下記特許文献１には、携帯端末の機能の呼出を容易化するための技術が開示されている。
【０００７】
この技術によれば、携帯端末に検索エンジンを組み込み、待ち受けメニュー画面に検索画面を表示させ、検索キーワードの入力を待つようにし、使用者がイメージしやすい文字列を入力することで所望の機能を探すことができ、効率的に目的の機能まで到達することが可能となる。
【先行技術文献】
【特許文献】
【０００８】
【特許文献１】特開２００５−７８５０１号公報
【発明の概要】
【発明が解決しようとする課題】
【０００９】
しかしながら、従来の携帯端末では、アプリケーション選択用のメニューが固定化されていたため、使用者が探すのに手間がかかっていた。
【００１０】
アプリケーションの中には、メニューの中から選択するまでに多くのキー操作を要するものもあった。
【００１１】
また、アプリケーションを起動させるために設けられた起動専用のキーやショートカットキー等には数に限りがあるため、携帯端末に内蔵されるすべてのアプリケーションをそれら各キーに割り当てることができず、キー割当のされていないアプリケーションの起動には多くのキー操作を要していた。
【００１２】
また、上記特許文献１の技術においては、アプリケーションの起動に要する文字入力操
作と、起動したアプリケーションにおける文字入力操作とがそれぞれ独立した操作となっているため、アプリケーションの起動に要するキー操作の回数を減らすことができないという問題があった。
【００１３】
本発明は、上記従来の課題に鑑みてなされたものであり、目的とするアプリケーションを少ない操作で起動することのできる携帯端末装置を提供することを目的とする。
【課題を解決するための手段】
【００１４】
上記目的を達成するために、本発明に係る携帯端末装置は、複数のアプリケーションを記憶し、文字入力を行うための文字入力部を備える携帯端末装置であって、前記文字入力部から入力される入力文字列を表示する表示部と、文字とアプリケーションとの関係を予め保持する条件保持部と、前記アプリケーションの候補一覧を前記入力された入力文字列に基づいて、前記条件保持部によって、表示される順の並び替えを行い、アプリケーション一覧を表示する一覧表示部と、前記一覧表示手段により表示される前記アプリケーション一覧からいずれか１つのアプリケーションを選択する選択手段と、前記選択手段により選択されるアプリケーションを起動させるとともに、該アプリケーションに前記入力文字列に関する処理を実行させる起動手段とを含む、ことを特徴としている。
【図面の簡単な説明】
【００１５】
【図１】本発明の実施の形態に係る携帯端末装置の開いた状態を示す図である。
【図２】本発明の実施の形態に係る携帯端末装置の閉じた状態を示す図である。
【図３】本発明の実施の形態に係る携帯端末装置の機能ブロック図である。
【図４】本発明の実施のアプリケーションの並びを説明する図である。
【図５】本発明の実施の他のアプリケーションの並びを説明する図である。
【図６】本発明の実施の他のアプリケーションの並びを説明する図である。
【図７】本発明の実施例のアプリケーション起動の第1の画面遷移を示す図である。
【図８】本発明の実施例のアプリケーション起動の第2の画面遷移を示す図である。
【図９】本発明の実施例のアプリケーション起動の第３の画面遷移を示す図である。
【図１０】本発明の実施例のアプリケーション起動の第４の画面遷移を示す図である。
【図１１】本発明の実施例のアプリケーション起動の第５の画面遷移を示す図である。
【図１２】本発明の実施例のアプリケーションを起動する処理を説明するフローチャートである。
【発明を実施するための形態】
【００１６】
以下、本発明の実施の形態を図面に基づいて説明する。本実施の形態では、携帯端末装置１００が携帯電話機である場合を例にとって説明する。図１及び図２は、本発明の実施の形態に係る携帯端末装置１００を示す図である。図１は開いた状態、図２はスライド機構により閉じた状態を示している。
【００１７】
同図に示すように、携帯端末装置１００は、テンキー１０、ジョグキー１２、アドレス帳キー１４、アプリケーションキー１６、発信キー１８、電源／終話キー２０、クリアー／マナーキー２２及び画面２４を含んで構成される。
【００１８】
テンキー１０は、「０」から「９」までの数字キーからなり、通常、「＊」及び「＃」の記号キーが付随する。
【００１９】
テンキー１０は、使用者が携帯端末装置１００に対して文字（数字、記号を含む）を入力するために用いられる。
【００２０】
また、このテンキー１０は、電話番号等の数字を入力するために使用されるほか、ジョグキー１２等と組み合わせて使用することにより、英字、記号、平仮名や漢字等の文字を入力することができる。
【００２１】
このジョグキー１２は、画面２４を備える筐体正面に対して平面的な上下左右の４方向（必要に応じその間の方向を含め8方向であってもよい）の移動を可能とし、さらに垂直
的な押下を行えるものである。ジョグキー１２は、主に、画面２４に表示される各種メニューの一つを選択する際や、選択肢を選択する際に使用される。
【００２２】
すなわち、ジョグキー１２は、メニューや選択肢において項目が選択可能であることを示すカーソル又はフォーカス等を別の項目へ移動するために用いられ、垂直方向の押下を検出することで、カーソル又はフォーカス等で選ばれている項目を実行したり、さらに下の階層へ移行したりする。
【００２３】
テンキー１０の傍には、ワンタッチキー１０ａが配置され、使用者がそのワンタッチキー１０ａを操作することで、複数の操作なしに所定のアプリケーションを起動できるキーである。たとえば、このキーの操作で、テレビ機能を起動したり、メール機能を起動したり、WEB機能を起動したりできる。これらアプリケーションはこのワンタッチキー１０ａ
に予め設定され、所定状態で押下することで起動される。ここで所定状態とはたとえば待ち受け状態がある。また、マルチタスク起動が可能であれば、他機能が起動中であってもこのワンタッチキー１０ａの操作によって、このテレビ機能、メール機能、WEB機能を起
動することができる。
【００２４】
また、端末の側面にはサイドキー１０ｂが設けられており、閉じた状態でも操作可能となっている。
【００２５】
画面２４には、テンキー１０等から入力される文字列のほか、携帯端末装置１００を操作する上で必要となる様々な文字情報や図形情報等が、この画面２４に表示される。
【００２６】
アドレス帳キー１４は、押下時間の継続が所定時間以内であった場合には登録された電話帳データが読み出される機能であり、相手先の名前、電話番号、メールアドレスなどが表示できる。一方、押下時間が所定時間以上継続した場合には、電話帳へ新規登録画面となる。それにより、電話帳の登録画面へ簡単に移行するようになっている。
【００２７】
アプリケーションキー１６は、端末内に登録されたアプリケーションを呼び出すキーであり、複数登録されている場合は、読み出された後に更に選択できるよう表示される。
【００２８】
発信キー１８は、電話番号を入力したり、電話帳から電話番号を読み出したりして、ディスプレイ上に表示された電話番号や相手先名に対応した電話番号に発信するためのキーである。また、電話着信があった場合にはこのキーを操作することで通話状態へ移行する。
【００２９】
電源／終話キー２０は、通話中に操作すると終話するキーであり、また、さまざまな状態であっても、このキーを操作することで直前の状態に戻ったり、待ち受け状態に戻ったりするために使用されるキーである。
【００３０】
クリアー／マナーキー２２は、文字などを入力中であれば、入力された文字をクリア（消去）するキーであり、待ち受け状態で押下時間が所定時間以上継続した場合には、マナーモードにオン／オフを切り換えるキーである。
【００３１】
画面２４には、使用者に報知するために入力された結果や、報知される情報などさまざまな情報が視覚的に表示される。また、通話可能状態の理解のためのアンテナバー、電池残量バー、時計など端末の状況を表示するものである。たとえば、図７ａの２５ａ、２５ｂのように示す。
【００３２】
この携帯端末装置１００はスライドタイプであり、閉じることで、テンキー１０を覆い隠すこととなる。
この状態でも複数のキーが露出しており、装置自体は操作可能となっている。
【００３３】
なお、画面２４は表示するものであるが、タッチ式入力部を兼用してもよい。そうすることで、閉じたままでの操作ができたり、表示したものをダイレクトに選択できたりする。
【００３４】
図３は、機能ブロック図に基づいて、携帯端末装置１００の各構成要素を詳細に説明する。
【００３５】
同図に示すように、携帯端末装置１００は、制御部３０、入力部４０、表示部４２、一覧作成部５０、一覧記憶部５２、起動条件記憶部５４、アプリケーション選択部６０、アプリケーション起動部６２及びアプリケーション記憶部６４を含んで構成される。
【００３６】
携帯端末装置１００は、複数のアプリケーションをアプリケーション記憶部６４に記憶する。
【００３７】
制御部３０は、それぞれのブロックと接続され、携帯端末装置１００全体の制御を行う。制御部３０は、ＣＰＵ及びメモリ等から構成される。
【００３８】
入力部４０は、テンキー１０（ワンタッチキー１０ａ含む）、ジョグキー１２、アドレス帳キー１４、アプリケーションキー１６、発信キー１８、電源／終話キー２０、クリアー／マナーキー２２を含んで構成され、数字、英字、記号、平仮名、片仮名や漢字等の文字を入力するために用いられる。
【００３９】
表示部４２は、入力部４０から入力される入力文字列を画面２４に表示する。なお、表示部４２は、入力部４０からの文字入力に応じて、数字入力モードや平仮名入力モード等の複数の基準それぞれに従った複数種類の文字列を取得し、それら各文字列を画面２４に表示するようにしてもよい。
【００４０】
こうすれば、例えば、テンキー１０から「４」「４」「４」「２」「２」「７」「７」と入力することにより、漢字入力モード、平仮名入力モード、片仮名入力モード、英字入力モード、数字入力モードの５つの変換基準それぞれに従った「月見」、「つきみ」、「ツキミ」、「ＩＢＱ」、「４４４２２７７」の５つの文字列を画面２４に表示することができるようになる。
【００４１】
これにより、変換モードを切り替える操作が不要になるととともに、各文字列に応じたアプリケーケーション選択メニューを表示することが可能となり、利便性が向上する。
【００４２】
また、一覧作成部５０は、一覧記憶部５２、起動条件記憶部５４を含んで構成される。
【００４３】
一覧作成部５０は、入力部４０から入力される入力文字列（以下、起動用文字列）に基づいて、起動用文字列に関する処理を実行することのできるアプリケーションを起動条件
記憶部５４から検索する。この検索は入力された文字から単語の種別を導き、単語そのものの種別、単語の種別のつながり、文字の数などを検索条件として検索が行われる。
【００４４】
そして、起動条件を満たすアプリケーションの表示される順位を上げると共に、それに伴い他のアプリケーションの並び替えを行う。そして、並び替えられたアプリケーションの一覧（以下、アプリケーション一覧）を画面２４に表示する。
【００４５】
例えば、図７に示すように入力文字列が漢字「難波」である場合、アプリケーション一覧には、図７ｄに示すように、漢字を含む文字列に関する処理について、並び替えを行い「地図検索」、「乗換検索」等のアプリケーションが順位を上げて表示される。その代わり、「インターネット検索」や「キーワード検索」等のアプリケーションは順位を下げて表示されることとなる。次に、この並び替えの条件の例を図４乃至図６を用いて説明する。
【００４６】
図４乃至図６に、アプリケーションの並びについて、検索条件に対するアプリケーション一覧を示す。この表では図４ａに並び替えが行われない状態の並び順が示されており、標準の表として一覧記憶部に保持されている。
【００４７】
図４ｂは「京都」「本町」を入力文字としたときのアプリケーション一覧の並びである。「乗換検索」が順位を上げ、「インターネット検索」、「キーワード検索」が順位を下げている。
【００４８】
図４ｃは「京都」を入力文字としたときのアプリケーション一覧の並びである。「乗換検索」「地図検索」が順位を上げ、その後に「グルメ検索」が続き「インターネット検索」、「キーワード検索」の順位が逆転していることがわかる。つまり、このような入力される文字に対応した条件をあらかじめ装置内に保持しておき、入力された文字に応じてアプリケーション一覧の並びを変更している。
【００４９】
図４ｄは、「京都」「将軍」（店舗名）を検索したときのアプリケーション一覧の並びである。「グルメ検索」「インターネット検索」の順になり、「乗換検索」が大幅に順を下げるようになっている。
【００５０】
図４ｅは、「京都」「カフェ」であり、「グルメ検索」「インターネット検索」の順になり、「乗換検索」が大幅に順を下げるようになっている。
【００５１】
図４ｆは、「京都」「パスタ」であり、「グルメ検索」「インターネット検索」の順になり、「乗換検索」が大幅に順を下げるようになっている。
【００５２】
図４ｇは、「京セラ」「横浜」であり、「地図検索」「インターネット検索」の順になり、「グルメ検索」「レシピ検索」が順位を下げている。
【００５３】
このように、検索する単語の種別に応じて、アプリケーション一覧の順が変動するものであります。
【００５４】
図５ａは食材として認識された「じゃがいも」を入力文字としたときのアプリケーション一覧の並びである。「レシピ検索」「グルメ検索」が順位を上げ、「乗換検索」「地図検索」が順位を下げている。
【００５５】
図５ｂは料理名として認識された「肉じゃが」を入力文字としたときのアプリケーション一覧の並びである。「レシピ検索」「グルメ検索」が順位を上げ、「乗換検索」「地図
検索」が順位を下げている。
【００５６】
図５ｃはイベント（時機イベント）として「クリスマス」を、図５ｄは人名として「中村＊＊」を、図５ｅはその他名詞として、「ＳＡ００１」を、図５ｆはイベントと料理名として「ひな祭り」「ケーキ」を入力し、夫々に応じたアプリケーションの並び替えが行われていることがわかる。
【００５７】
図６ａは、図４や図５に示したような単語の種別によりアプリケーションを並び替えるのではなく、入力された文字数によってアプリケーションの並び替えを行う例である。たとえば１００バイトより多い文字数か少ない文字数かによって、「Ｅメール本文」「ブログアップ」（ブログにアップするためのアプリケーション）か、「Ｃメール」か、いずれかのアプリケーション機能を上位に配置させるよう制御される。ただ、少ない文字数であれば、前述した図４、図５に含まれてしまうことがあるが、句読点（文章区切り記号）、絵文字（メール特有文字）等など文章で使われる特有の文字を検出することで、メール本文であると判断する。また、その文字数によって「Ｅメール本文」「ブログアップ」か、「Ｃメール」かを決定してもよい。このように文字の長さだけでなく、句読点、絵文字等をそれぞれ考慮して、決定してもよい。
【００５８】
図７は、本実施の形態に係る携帯端末装置１００において、待ち受け状態（いずれのアプリケーションもキー入力の受付を専有していない状態：図７ａ）から、テンキー１０、ジョグキー１２を用いて、漢字「難波」を入力したいときの様子を示す図である。
【００５９】
２５ａはアンテナの受信状態を示すアンテナバーと電池残量を示す電池バーである。２５ｂは端末内で保持している現在時刻である。２５ｃは入力された文字が表示されるところである。２５ｄは入力された文字に基づき予測変換で読みだされた文字の候補である。２５ｅは操作されたテンキーの数字そのものを示している。この数字列で電話発信ができる。２５ｆはワンタッチキー１０ａに割り当てられるソフトキーである。また、ソフトキー２５ｆは、アドレス帳キー１４、ジョグキー１２、アプリケーションキー１６に割り当ててもよい。２５ｇはアプリケーション候補に番号を付して一覧にしたものである。２５ｈは選択中のアプリケーションの説明である。２６はアプリケーションを起動し、その文字を使った処理を行った状態を示す。
【００６０】
待ち受け状態で、テンキー１０を操作すると、本件特徴である機能が動作する。「５０００６＊」と入力すると、「なんば」とまだ入力文字２５ｃの表示が図７ｂのように表示される。また、中央付近に変換候補が予測変換機能などを用いて読み出され、「予測」として予測文字２５ｄが表示される。
【００６１】
また、最下部には入力した数字キーの「５０００６＊」がそのまま表示される（入力された数字２５ｅ）。この数字が表示された状態でたとえば発信キー１８を押下すると、通常の電話発信ができる。つまり、本装置では文字の入力として受付も行うことができ、通常発信操作もテンキーを押した数字がこの表示２５ｅで示されるために、発信キーを操作するという簡単な操作で、発信処理ができる。
【００６２】
さらに、ワンタッチキー１０ａに対応した「英数カナ」「ＯＫ」「通常変換」がソフトキー２５ｆで表示される。「英数カナ」は入力された「なんば」を「ナンバ」や「ＪＯＭ」、「５０００６」（文字）などに変換するものである。「ＯＫ」は文字を確定させるものである。「通常変換」は、予測変換ではなく入力された文字に対する漢字変換を行うものである。
【００６３】
図７における処理に戻って、たとえば、予測変換の候補２５ｄとして「難波」「ナンバ
ー」「No．」「ナンバーワン」「何倍」「何杯」「南原」「南場」などが読み出され、表示される。ここで、表示されない残りの候補はジョグキー１２のアップ、ダウンのキー操作で読み出すことが可能である。
【００６４】
そして、使用者によりジョグキー１２の操作（アップ、ダウンのキー操作）を受け、「難波」が選択される（文字確定される）と、画面２４に表示された「なんば」が「難波」に変換される（図７ｃ）。一旦文字が変換されると、予測変換は次の候補を予測し、図７ｃの予測文字２５ｄでのように「の」「は」「に」などが表示される。なお、このように変換候補を選択すると、入力された数字２５ｅは画面２４から消える（図７ｃの２５ｅで示す点線のエリア。実際には点線は表示されなくてもよい）。つまり、使用者が積極的に変換を選択したため、今まで入力したものは、電話番号入力でないとして判断し、その数字を表示から消すようにしている。
【００６５】
したがって、この状態になるまでは、発信キーによる発信処理が可能となっている。
【００６６】
この状態で、ソフトキー２５ｆに表示された「ＯＫ」を選択すると、画面２４には図７ｄに示すアプリケーション選択メニューが表示され、１〜９まで順番に番号を付したアプリケーション候補２５ｇが表示される。また、反転表示されている選択候補のアプリケーションについては、アプリケーション説明部２５ｈで簡単に説明されるようになっている。
【００６７】
図７ｄに示されるアプリケーション選択メニューから「地図検索」のアプリケーション候補をソフトキー２５ｆの「選択」により選択すると、地図検索のためのアプリケーションが起動される。
【００６８】
また、地図検索のアプリケーションにおける検索欄に入力文字列「難波」が入力され、「難波」についての地図検索の結果が表示される（同図ｅ）。
【００６９】
このように、本実施の形態によれば、アプリケーションで使用するために入力される文字列を、当該アプリケーションを起動するために使用するとともに、起動されるアプリケーションに当該文字列に関する処理を実行させることができる。
【００７０】
これにより、目的とするアプリケーションを少ない操作で起動することができる。
【００７１】
次に、図８を用いて他の実施例を説明する。
【００７２】
図８は入力文字として「駅名Ａ  駅名Ｂ」（なお駅名Ａと、駅名Ｂとの間には区切り文字が入る。この例ではスペースとしている。）を入力したときの説明図である。このように「駅名Ａ  駅名Ｂ」を入力して（図８ａ）、「ＯＫ」で文字を確定させると、図８ｂのように、所定の順序に並び替えられたアプリケーション候補２５ｇが表示される。この並び替えについては図４〜図６に示したような所定の判断基準に基づいて行われ、その結果２６が表示される。
【００７３】
そして、駅名Ａから駅名Ｂまでの乗換検索を行いたい使用者は、「[１]乗換検索」を選択する。すると、図８ｃのように、駅名Ａから駅名Ｂまでの乗換検索の結果２６が表示される。そして、使用者が任意の候補を選択することで、その詳細表示を行ったり、別途設けられた機能であるナビゲーション機能などで乗換案内を地図上で行ったりすることができる。
【００７４】
次に、図９を用いて他の実施例を説明する。
【００７５】
図９は入力文字として「ぱすた」を入力したときの説明図である。このように「ぱすた」を入力して（図９ａ）、「パスタ」を変換（あるいは選択）して、「ＯＫ」で文字を確定させると、図９ｂのように、所定の順序に並び替えられたアプリケーション候補２５ｇが表示される。今回は「レシピ検索」「グルメ検索」が[１]［２］となり、「漢字チェック検索」は、この画面外へとシフトする。
【００７６】
使用者は、「パスタ」に関するレシピを検索したい場合には、図９ｂの「[１]レシピ検索」を選択する。それにより、そのキーワードで簡単にレシピ検索ができる。
【００７７】
次に、図１０を用いて他の実施例を説明する。
【００７８】
図１０は入力文字として「おつかれ、明日あいている？ランチでもどう」を入力したときの説明図である。このように、句読点が含まれるような入力がなされると、メール本文であると検出され、アプリケーション候補２５ｇは「Eメール本文」「Cメール本文」「E
メール検索」が上位の順位となり、「インターネット検索」などが画面外へシフトしている。そして、「乗換検索」や「地図検索」が[8][9]に割り当てられている。これにより、文字列の種別だけでなく、文字列の長さに応じてもアプリケーション候補の一覧表示の並びが変わることになる。
【００７９】
次に、図１１を用いて他の実施例を説明する。
【００８０】
図１１は入力文字として「難波から新大阪」を入力したときの説明図である。このように、句読点が含まれないような文字が入力されると、メール本文であると検出されることより、入力された文字列が駅名と駅名の入力であることを判断する。それにより、「乗換検索」「地図検索」が上位の候補として判断され、それらのアプリケーションの表示順位を上げるようにしている（図１１ｂのアプリケーション候補２５ｄ）。
【００８１】
このように、入力された文字により、予め決められた候補を並び替えて使用者の使いやすい状態で表示することができる。
【００８２】
なお、これらの説明は一例であり、この順に関しては、他の例であってもかまわない。
【００８３】
次に、アプリケーションを起動するまでの処理を図１２のフローチャート図を用いて説明する。
【００８４】
待ち受け状態Ｓ００（たとえば図７ａ）において、メニューキーが操作されたかどうかを判断する（Ｓ０２）。メニューキーが操作されるとそれに伴う処理を行う（Ｓ０４）。一方、メニューキーが操作されない場合にはステップＳ０６に移行し、テンキー１０の入力があったかどうかを判断する。テンキー１０の操作がなければ、Ｓ０２に戻る。テンキー１０の操作があり、それが検出されると、ステップＳ０８に移行し、操作され、入力されたと検出したテンキー１０に該当する文字の表示を行う。そして、継続してテンキー１０の操作がなされ、入力があったかどうかを判断する（Ｓ１０）。連続して入力があると判断した場合には、それらの文字を連続表示するとともに、ステップＳ１４へ移行する。一方、ステップＳ１０でテンキー１０の入力がないと判断される場合は、ステップＳ１４へ移行する。
【００８５】
ステップＳ１４では、ジョグキー１２の操作を行い、変換候補から所定の文字を選択し（たとえば図７ｂ）ソフトキー２５ｆの「ＯＫ」などの操作により、入力された文字が確定したかどうかを判断する。確定していなければ、ステップＳ３６へ移行する。確定すれ
ばステップＳ１６へ移行する。ステップＳ３６では入力された数字２５ｅで使用者の発信操作があったかを判断するステップであり、発信操作があればステップＳ３８で発信される。つまり、入力された数字は画面２４に入力された数字２５ｅとして表示されており、たとえば「１１７」と入力すると、入力された数字２５ｅには「１１７」と表示されることとなる、そして、発信キー１８を操作することで、「１１７」へ発信することができる。しかし、「１１７」が文字の入力の場合は、使用者は発信キー１８を操作することないので、ステップＳ１０に戻る。「今どこにいるの？」と入れる場合には、「１１７」で始まることになるので、このままステップＳ１０に戻って処理が継続される。
【００８６】
ステップＳ１４で文字が選択され、確定である操作がなされると、ステップＳ１６に移行する（たとえば図７ｃ）。このとき（ステップＳ１６）に確定された文字が表示されている（入力文字２５ｃ）。
そして、ステップＳ１８へ移行する。
【００８７】
このステップＳ１８で「ＯＫ」のソフトキー２５ｆが選択されると、ステップＳ２０へ移行する。一方、選択されなければ、ステップＳ４０へ移行する。このステップＳ４０ではステップＳ１０と同様に入力があるかどうかを判断する。入力がなければステップＳ１８に戻る。入力があれば、先ほどまで入力された文字に続き、新たな文字が追加され、ステップＳ４２へ移行する。ステップＳ４２では連続して入力された文字を表示するステップである。
【００８８】
そして、その後、ステップＳ４４へ移行し、文字入力の確定かどうかを確認され、確定でなければステップＳ４８へ移行する。ステップＳ４８で入力があれば、先ほどまで入力された文字に続き、新たな文字が追加され、ステップＳ５０へ移行し、文字が表示される。そして、ステップＳ４４に戻る。入力がなければステップＳ４４に戻る。
【００８９】
一方、ステップＳ４４で確定であればステップＳ４６へ移行し、確定された文字を表示し、ステップＳ１８に戻る。
【００９０】
つまり、確定されるまではステップＳ４４、Ｓ４８（Ｓ５０含む）をループするようになっている。
【００９１】
上述したようにステップＳ１８の状態で「ＯＫ」のソフトキー２５ｆが選択されると、ステップＳ２０へ移行する。すると、本願特徴の一つである、入力文字によるアプリケーション検索を実行する。そして、ステップＳ２２で、予め決められた条件に基づき、所定順に表示されたアプリケーションを並び替えて表示することとなる。たとえば図７ｄなどに示されるように、[１]から[９]までの番号を付して並べられる。この番号はテンキー１０で直接選択する際に用いられる番号である。
【００９２】
次のステップＳ２４では、使用者によって、都合のよいように「並び替え」のソフトキー２５ｆを操作することにより、順番の入れ替えを行えるものであります。つまり、ステップＳ２２で端末側に保存されている条件によって並び替えが行われたが、使用者には都合が悪い場合など、都度使用者によって修正できるようになっている。それにより、より使い勝手のよい端末を提供することができる。
【００９３】
ステップＳ２４で「並び替え」を選択すると、ステップＳ２６にて使用者がアプリケーションの候補の表示順を自由に並び替えることができる。
【００９４】
その後、ステップＳ２６で、たとえば図７ｄのように配置されたアプリケーションの候補から所望のアプリケーションを選ぶことができる。
【００９５】
表示されたアプリケーションが選択されると、ステップＳ３４で入力された文字を用いてアプリケーションが起動される（ステップＳ３４）。一方、アプリケーションが選択されずにソフトキー２５ｆの「戻る」が選択されると（ステップＳ３０のＹｅｓ）、ステップＳ１８に戻る。ソフトキー２５ｆの「戻る」が選択されなければ、ステップＳ２８に戻る。
【００９６】
このアプリケーションを選択することを前述した図面を用いて説明を補足する。たとえば、「駅名Ａ  駅名Ｂ」を入力した状態で、図８ｂのようにアプリケーション２５ｇの候補が表示されるときに、[１]乗換検索、[２]地図検索、[３]グルメ検索のような順で表示される。そして、目的の（たとえば乗換検索）アプリケーションを選択すると、図８ｃのように、乗換検索のアプリケーションを起動し、「駅名Ａ  駅名Ｂ」のキーワードを用いて検索を行い、その結果が表示されるようになっている。
【００９７】
これにより、使用者はわざわざ、アプリケーションを起動し、検索キーワードを入力し、表示するといった操作は必要なく、操作性が大幅に向上することになる。
【００９８】
また、使用者が使うべき可能性の高いアプリケーションとそうでないアプリケーションを並び替えて一覧表示することができ、使用者の操作性向上に役立つことになる。
【００９９】
なお、いずれの処理中であっても電源／終話キー２０のような終了に割り当てられているキーを操作すると、処理を終了してもよいかどうかの確認後、終了できるようになっている。また、電話着信など優先的な処理が発生した場合には、本処理のいずれであっても一旦終了し、通話着信の報知を行う。
【０１００】
なお、本発明は、以上に説明した実施の形態に限定されるものではない。例えば、本発明は、携帯電話機だけでなく、ＰＤＡ（Personal Digital Assistant）等、文字入力が可能なあらゆる種類の携帯端末装置に適用可能である。
【産業上の利用可能性】
【０１０１】
本発明に係る携帯電話機は、テレビ放送を受信してテレビ映像及び音声を出力可能な携帯電話機に利用され得る。
【符号の説明】
【０１０２】
１００  携帯端末装置
１０    テンキー
１０ａ  ワンタッチキー
１０ｂ  サイドキー
１２    ジョグキー
１４    アドレス帳キー
１６    アプリケーションキー
１８    発信キー
２０    電源／終話キー
２２    クリアー／マナーキー 
【図１】
2014096829.tif 000003
【図２】
2014096829.tif 000004
【図３】
2014096829.tif 000005
【図４】
2014096829.tif 000006
【図５】
2014096829.tif 000007
【図６】
2014096829.tif 000008
【図７】
2014096829.tif 000009
【図８】
2014096829.tif 000010
【図９】
2014096829.tif 000011
【図１０】
2014096829.tif 000012
【図１１】
2014096829.tif 000013
【図１２】
2014096829.tif 000014
【手続補正書】
【提出日】平成26年1月29日(2014.1.29)
【手続補正１】
【補正対象書類名】特許請求の範囲
【補正対象項目名】全文
【補正方法】変更
【補正の内容】
【特許請求の範囲】
【請求項１】
複数のアプリケーションを記憶し、文字入力を行うための入力部を備える携帯端末装置であって、
前記入力部から入力される入力文字を表示する表示部と、
文字とアプリケーションの候補一覧の表示順序との関係を予め保持する条件保持部と、
入力された前記入力文字の文字列に基づいて、前記条件保持部に保持された条件によって、前記アプリケーションの候補一覧が表示される順の並び替えを行い、アプリケーションの候補一覧を表示する一覧表示部と、
前記一覧表示部により表示される前記アプリケーションの候補一覧からいずれか１つのアプリケーションを選択する選択部と、
前記選択部により選択されたアプリケーションを起動させるとともに、該アプリケーションに前記入力文字の文字列に関する処理を実行させる起動部とを含み、
前記一覧表示部は、前記文字列に基づいて、前記条件保持部に保持された条件によって、２以上のアプリケーションの順位を上げるように並び替えを行うことを特徴とする携帯端末装置。
【請求項２】
前記条件保持部は、前記文字列からなる単語の種別とアプリケーションの候補一覧の表示順序との関係を予め保持し、
前記一覧表示部は、入力された前記入力文字の文字列からなる単語の種別に基づいて、前記条件保持部に保持された条件によって、前記アプリケーションの候補一覧が表示される順の並び替えを行う請求項１に記載の携帯端末装置。
【請求項３】
前記単語の種別は、駅名、飲食店名、飲食ジャンル名、料理名、食材名、イベント名、施設名、および人名の少なくとも１つを含む請求項２に記載の携帯端末装置。
【請求項４】
区切り文字で区切って複数の単語が入力された場合、前記一覧表示部は、複数の単語の種別に関して前記条件保持部に保持された条件によって、表示される順の並び替えを行い、前記アプリケーションの候補一覧を表示することを特徴とする請求項２又は請求項３に記載の携帯端末装置。